(57)【要約】【課題】  ワニ口形状のユニット開閉部に複数のフラットケーブルを通す場合において、フラットケーブル間の干渉によるノイズの影響を少なくする。【解決手段】  メインユニットとサブユニットがヒンジ機構で組み付けられ、ワニ口形状となっており各ユニット間の信号伝達を複数のフラットケーブルで行っているものにおいて、各フラットケーブルは片方のユニットには１箇所で固定し、他方ユニットには出し入れ自由な通し穴を通しそれぞれのフラットケーブルを距離を離して固定することにより、ワニ口を閉じた時にフラットケーブルが密着しない構造とする。【選択図】  図１
2005236155.tif 000002
【特許請求の範囲】
【請求項１】
ベースユニットと、ヒンジ機構により前記ベースユニットに開閉可能に取り付けられるサブユニットと、前記ベースユニットと前記サブユニット間の信号線を伝達する複数のフラットケーブルと、一方の前記ユニットにおいて前記複数のフラットケーブルを１箇所で固定する固定手段と、他方の前記ユニットにおいて前記複数のフラットケーブルが自由に出入可能なひとつの通し穴と、前記通し穴を設けたユニットにおいて前記複数のフラットケーブルをそれぞれ距離を離して固定する個別固定手段と、を具備し、前記複数のフラットケーブルは前記ヒンジ機構の回転中心を通過することなく、前記ベースユニットから前記サブユニットが開かれた状態において前記複数のフラットケーブルは前記ケーブル間でのたるみが無く、閉じられた状態においては前記複数のフラットケーブルは各々たるみ量が異なることを特徴とする電子装置。
【請求項２】
前記ベースユニットはプリンタエンジン、前記サブユニットは画像読み取り装置であり、双方が結合し複合機をなすことを特徴とする請求項１記載の電子装置。
【発明の詳細な説明】
【技術分野】
【０００１】
本発明は開閉式のユニットを持ち、ユニット間で複数のフラットケーブルにより信号伝達する電子装置に関するものである。
【背景技術】
【０００２】
従来、ヒンジ機構を持つユニット間の信号伝達はヒンジ機構内を通すものがある（例えば、特許文献１参照）。また、フラットケーブルによる信号伝達を行うものとしてヒンジ機構の回転中心に通したものがある（例えば、特許文献２参照）。
【０００３】
以下、図８により従来のユニット間の信号伝達のフラットケーブルの形態について説明する。同図は電子写真プリンタと画像読み取り装置が一体化した複合機であり、その断面図を示す。同図において８０１はベースユニットであるプリンタ、８０２はサブユニットである画像読み取り装置、８０３はヒンジ部分、８０４、８０５はフラットケーブル、８０６はプリンタ８０１のプリント基板、８０７はプリント基板８０６上でフラットケーブルを固定する固定具、８０８は画像読み取り装置８０２のプリント基板、８０９はプリント基板８０７上でフラットケーブルを固定する固定具である。この例において２本のフラットケーブル８０４、８０５は、画像読み取り装置８０２とプリンタ８０１との間で、不図示の操作パネルの制御信号と不図示のイメージセンサの画像信号を通信するものである。本従来例においては、画像読み取り装置８０２がプリンタ８０１内部の不図示のトナーカートリッジの交換時にカートリッジフタとなっており、通常、は閉じた状態で使用し、トナーカートリッジ交換時に開くものである。このときフラットケーブル８０４、８０５はほぼ並行してヒンジ部分８０３を通ることにより画像読み取り装置８０２の閉時（同図ａ）、開時（同図ｂ）の両方に対応している。
【特許文献１】特開平９−４１７７９号公報（第６頁、図６）
【特許文献２】特開平５−４７２２３号公報（第３頁、図２）
【発明の開示】
【発明が解決しようとする課題】
【０００４】
しかしながら上記従来例では、プリンタ８０１と画像読み取り装置８０２をむすぶ複数のフラットケーブル８０４、８０５はヒンジ部分を通り、通常使用状態においてほぼ並行に重ね合っているため、以下のような欠点があった。
・イメージセンサのアナログ画像信号を伝送するフラットケーブルに、操作パネルのデジタル信号を伝送するフラットケーブルの信号のノイズが飛び込み、画像データが異常になる。
・逆に、イメージセンサ駆動のための画像転送クロックなどが操作パネルにノイズとなって操作パネルが誤動作してしまう。
・フラットケーブルがヒンジ部分の回転軸を通るため、フラットケーブルの線長が長くなってしまう。
【課題を解決するための手段】
【０００５】
上記目的を達成するため、本出願に係る第１の発明は、一方のユニット側では複数のフラットケーブルを１箇所で共に固定し、他方のユニット側ではフラットケーブルが自由に出入可能な通し穴を通って、ユニット内部でフラットケーブルをそれぞれ離して固定することにより、開いた状態においてはフラットケーブルが無駄なく伸び、閉じた状態でそれぞれたわみ量がことなることを利用してフラットケーブル同士が重なりあう部分を少なくする。また、このフラットケーブルは両ユニットを回動可能としているヒンジ部分から離れた部分に配置する。
【発明の効果】
【０００６】
以上説明したように、本出願に係る第１の発明によれば、複数のフラットケーブルが重ね合わさる部分を少なくすることでそれぞれの信号の干渉を押さえ、ノイズに強くすることができる。また、フラットケーブルの線長を短くできることでノイズに強く、さらにコストダウンが可能な構成とすることが可能である。
【発明を実施するための最良の形態】
【０００７】
（実施例１）
図１ないし図５は本発明の特徴を最もよく表す図面であり、電子写真プリンタとイメージセンサによる画像読み取り装置が一体化した複合機の配線について説明する。図１において１０１はプリンタユニット、１０２は画像読み取りユニット、１０３は画像読み取りユニット１０２を開閉するときの回転中心であるヒンジ、１０４は操作パネル信号を伝達するパネルフラットケーブル、１０５はイメージセンサの制御及びアナログ画像信号を伝達するセンサフラットケーブル、１０６はプリンタユニット１０１側のフラットケーブル留め具、１０７はパネルフラットケーブル１０４のノイズ除去とケーブル固定を行うフェライトコア、１０８はセンサフラットケーブル１０５のノイズ除去とケーブル固定を行うフェライトコア、１０９は画像読み取りユニット１０２に設けられたフラットケーブルの通し穴である。図５は全体のシステムブロック図であり同図において、５０１は操作パネル、５０２はイメージセンサ、５０３はイメージセンサ５０２での原稿スキャン用モータ、５０４は画像読み取りユニットを制御し外部コンピュータ５０９と通信しプリンタに画像を送る画像コントローラ、５０５はプリンタ部分の制御を行うプリンタエンジンコントローラ、５０６は電子写真プロセスを用いたプリンタ駆動ユニット、５０７は装置に電力を供給する電源ユニット、５０８は商用電源に接続する電源ケーブルである。
【０００８】
本装置はプリンタユニット１０１の上方に画像読み取りユニット１０２が配置され、ヒンジ１０３で固定されている。画像読み取りユニット１０２は、プリンタユニット１０１の不図示のトナーカートリッジ脱着用のドアを兼用している。すなわち、画像読み取りユニット１０２を上方に開く事によりプリンタユニット１０１のトナーカートリッジにアクセスすることが可能となり、交換することができる。画像読み取りユニット１０２は開時における倒れ防止のため、開き角度が一定以上にならないよう不図示のアームがプリンタユニットに対し取り付けられている。あるいはヒンジ１０３が一定角度以上開かないような構成になっていても良い。図１は画像読み取りユニット１０２を閉じた状態でのフラットケーブル１０４、１０５の様子を示している。図２はその状態での斜視図である。図３は画像読み取りユニット１０２を開いた状態でのフラットケーブル１０４、１０５の様子を示し、図４はその状態での斜視図である。図１ないし図４において画像読み取りユニットの外装カバーは外した状態としている。
【０００９】
パネルフラットケーブル１０４とセンサフラットケーブル１０５は、プリンタエンジン１０１側では留め具１０６にて１箇所にて固定し、画像読み取りユニット１０２側では同ユニットに取り付けられたフェライトコア１０７、１０８にそれぞれ通すことで固定する。このとき、通し穴１０９を通す。それぞれのフラットケーブル１０４、１０５の線長は、図３での状態にて最適となるよう設定する。画像読み取りユニット１０２を閉じた状態が図１であり、同図において、パネルフラットケーブル１０４とセンサフラットケーブル１０５は、留め具１０６から画像読み取りユニット１０２側に向かってそれぞれ空間距離をとる、すなわちケーブル同士が密着せず離れる位置関係となる。このケーブル間の空間を保つことによりケーブル相互の干渉によるノイズの影響を少なくすることが可能となる。一般的には従来例で述べたように、ケーブルは重ねてヒンジ部分の回転中心を通ることになるので、ケーブル長が長く、ケーブル同士の密着により信号の干渉が起こりやすくなる。ここではケーブルが分離されると共に、画像読み取りユニット１０２側の固定をフェライトコア１０７、１０８で行うことにより、よりノイズに強く、フラットケーブルの位置決めが安易となる。フェライトコア１０７、１０８の固定は、画像読み取りユニット１０２の外装部材に爪形状を設けることにより安易に可能である。フラットケーブル１０４、１０５は画像読み取りユニット１０２の開時において、留め具１０６と通し穴１０９により位置決めされるため、開閉時に邪魔にならず利便性が保たれる。
【００１０】
（実施例２）
図６ないし図７は本発明の第２の実施例をしめし、図６において、６０１はプリンタユニット１０１のフラットケーブル接続基板であり、６０２はフラットケーブル固定具である。６０３は画像読み取りユニット１０２のフラットケーブル接続基板である。同図は装置を正面から見た図であり、フラットケーブル１０４、１０５は通し穴１０９を通して出し入れ自由となっている。図７は画像読み取りユニット１０２を約４０度開いた状態である。ここでフラットケーブル１０４、１０５は画像読み取りユニット１０２に従い、やや斜めになりながら開く。このとき、通し穴１０９はフラットケーブル１０４、１０５の動きに干渉しないよう手前からヒンジ１０３側に長細く形成しておく必要がある。このようにしてフラットケーブルの取り付け方法に対して柔軟に対応可能である。
【図面の簡単な説明】
【００１１】
【図１】本発明の第１の実施例に係る画像読み取りユニットを閉じた状態の側面図である。
【図２】本発明の第１の実施例に係る画像読み取りユニットを閉じた状態の斜視図である。
【図３】本発明の第１の実施例に係る画像読み取りユニットを開いた状態の側面図である。
【図４】本発明の第１の実施例に係る画像読み取りユニットを開いた状態の斜視図である。
【図５】本発明の第１の実施例に係るシステムブロック図である。
【図６】本発明の第２の実施例に係る画像読み取りユニットを閉じた状態の正面図である。
【図７】本発明の第２の実施例に係る画像読み取りユニットを開いた状態の正面図である。
【図８】従来例のフラットケーブルの配置である。
【符号の説明】
【００１２】
１０１  プリンタユニット
１０２  画像読み取りユニット
１０３  ヒンジ
１０４  パネルフラットケーブル
１０５  センサフラットケーブル
１０６  フラットケーブル留め具
１０９  フラットケーブル通し穴
【図１】
2005236155.tif 000003
【図２】
2005236155.tif 000004
【図３】
2005236155.tif 000005
【図４】
2005236155.tif 000006
【図５】
2005236155.tif 000007
【図６】
2005236155.tif 000008
【図７】
2005236155.tif 000009
【図８】
2005236155.tif 000010